(57)【要約】【課題】本発明は、装置本体のケースに吸引孔などが直接的に目視されることがなく、外観の向上を図ることができる医療用検査装置を提供することを最も主要な特徴とする。【解決手段】作業台ユニット３の背面に冷却用のファンが配設され、作業台ユニット３のフレーム６の周囲に配設された隣接する上部正面パネル１１ａと外装パネル８５との外装パネル同士の合わせ部に前後方向に重なり合い、かつ前後方向に所定の間隔を有するように吸気口としてのオーバーラップ部８６を設けたものである。【選択図】    図２８
2004337442.tif 000002
【特許請求の範囲】
【請求項１】
内視鏡検査に使用する複数の周辺装置が作業台ユニットの内部に収納され、前記作業台ユニットの背面に冷却用のファンが配設された医療用検査装置において、
前記作業台ユニットのフレームの周囲に配設された隣接する外装パネル同士の合わせ部に前後方向に重なり合い、かつ前後方向に所定の間隔を有するように吸気口としてのオーバーラップ部を設けたことを特徴とする医療用検査装置。
【請求項２】
前記オーバーラップ部の内側に配置されるパネル面に外気を前記作業台ユニットの内部に吸込む吸気口を配置したことを特徴とする請求項１に記載の医療用検査装置。
【発明の詳細な説明】
【０００１】
【発明の属する技術分野】
本発明は、内視鏡を使用した検査や手術時に手術室内で使用される医療用検査装置に関する。
【０００２】
【従来の技術】
一般に、電気器具類では従来から、装置本体のケース内に収容された内部機器を強制冷却する場合には、装置本体の背面などに冷却ファンが配設されている。さらに、装置本体のケースの外装パネルには冷却ファンと対向する場所に排気口が形成されている。また、装置本体のケースの正面パネルやサイドパネルなどには吸引孔となる穴を開けている。そして、冷却ファンの駆動により、外装パネルの吸引孔から装置本体のケースの内部に外気を吸い込み、排気口から排出する空気の流路を装置本体の内部に形成して内部機器を空冷するようになっている。
【０００３】
【発明が解決しようとする課題】
上記従来構成の装置では、装置本体のケースの外装パネルにパンチング口や、網目状のネットを被せた吸引孔などを直接的に形成しているので、外観上好ましいものではなかった。
【０００４】
本発明は上記事情に着目してなされたもので、その目的は、装置本体のケースに吸引孔などが直接的に目視されることがなく、外観の向上を図ることができる医療用検査装置を提供することにある。
【０００５】
【課題を解決するための手段】
請求項１の発明は、内視鏡検査に使用する複数の周辺装置が作業台ユニットの内部に収納され、前記作業台ユニットの背面に冷却用のファンが配設された医療用検査装置において、前記作業台ユニットのフレームの周囲に配設された隣接する外装パネル同士の合わせ部に前後方向に重なり合い、かつ前後方向に所定の間隔を有するように吸気口としてのオーバーラップ部を設けたことを特徴とする医療用検査装置である。
そして、本請求項１の発明では、作業台ユニットの背面の冷却用のファンの駆動時には作業台ユニットのフレームの周囲に配設された隣接する外装パネル同士の合わせ部の吸気口としてのオーバーラップ部から外気を作業台ユニットの内部に吸い込み、冷却用のファンから外部に吐出される間の作業台ユニットの内部の流路に沿う外気の流れによって内部機器を空冷する。このとき、吸気口としてのオーバーラップ部は、作業台ユニットのフレームの周囲に配設された隣接する外装パネル同士の合わせ部の吸気口が前後方向に重なり合い、かつ前後方向に所定の間隔を設けることにより、吸気口が直接的に目視されることがなく、外観の向上を図れるようにしたものである。
【０００６】
請求項２の発明は、前記オーバーラップ部の内側に配置されるパネル面に外気を前記作業台ユニットの内部に吸込む吸気口を配置したことを特徴とする請求項１に記載の医療用検査装置である。
そして、本請求項２の発明では、オーバーラップ部の内側に配置されるパネル面の吸気口から外気を作業台ユニットの内部に吸込むようにしたものである。
【０００７】
【発明の実施の形態】
以下、本発明の第１の実施の形態を図面を参照して説明する。図１は内視鏡を使用した検査や手術時に手術室内で使用される本実施の形態の医療用検査装置である内視鏡検査装置１のシステム全体の概略構成を示すものである。この内視鏡検査装置１のシステムには手術用ベッド２の近傍位置に配置される作業台ユニット３と、モニタースタンド４とが設けられている。
【０００８】
作業台ユニット３のユニット本体５には、図２に示すように鉛直方向に立設された柱状のフレーム６と、複数段の棚板（テーブル）７とが設けられている。さらに、図２２に示すようにユニット本体５の底部には底板８、上面には作業台９がそれぞれ配設されている。そして、フレーム６はユニット本体５の４隅の角部にそれぞれ配設されている。
【０００９】
また、本実施の形態のユニット本体５は図３に示すようにフレーム６の周囲全体を複数の外装パネル１０で囲んだ構成になっている。この外装パネル１０にはユニット本体５の正面に配置される正面パネル１１と、ユニット本体５の両側面に配置される側面パネル１２，１３と、ユニット本体５の背面に配置される背面パネル１４とがそれぞれ設けられている。
【００１０】
また、図４に示すように本実施の形態の外装パネル１０のパネル本体１５の内面には略平面状のフレーム対向面１６が形成されている。そして、この平面状のフレーム対向面１６が外装パネル１０の取付時にフレーム６側に対向配置されるようになっている。さらに、このフレーム対向面１６にはパネル本体１５全体の外形よりも小さい略矩形枠型のアンダーカット部１７が内側に向けて突出されている。
【００１１】
本実施の形態の外装パネル１０は、圧空成形品が使用されている。図５（Ａ）〜（Ｆ）は、本実施の形態の外装パネル１０を圧空成形する成形工程を簡略的に示したものである。図５（Ａ）は、圧空成形の成形型１８を示す。この成形型１８には、型本体１９と、取り外し型部材であるプレート２０とが設けられている。型本体１９には圧空成形品の成形空間である凹陥状の雌型１９ａが形成されている。そして、この雌型１９ａの開口部周縁部位に複数のプレート２０が配設されている。ここで、プレート２０の内端部は雌型１９ａ側に所定量突設されている。これにより、外装パネル１０のパネル本体１５の内面のフレーム対向面１６に内側に向けて突出させた略矩形枠型のアンダーカット部１７が設定されている。
【００１２】
図５（Ｂ）は、成形型１８に成形材料であるシート２１をセットした状態を示す。シート２１はクランプ部材２２によって成形型１８にクランプされている。さらに、シート２１はヒーター２３によって加熱される。このとき、型本体１９の雌型１９ａ内が真空引きされる。これにより、加熱されて軟化されたシート２１を雌型１９ａに引き込む。同時に、図５（Ｃ）に示すようにシート２１の型面とは反対側から空気で加圧し、雌型１９ａの型形状の転写性を高める。これにより、雌型１９ａを転写した形状の外装パネル１０の圧空成形品２４が成形される。
【００１３】
成形後、図５（Ｄ）に示すようにアンダーカット部１７を成形するために使用したプレート２０を成形型１８から取外す。これにより、プレート２０に引っ掛かることなく成形後のシート２１を雌型１９ａ内から引き抜くことができる。
【００１４】
このとき、図５（Ｅ）に示すように雌型１９ａ内から引き抜かれた圧空成形品２４には不要なシート２１の余り部分２４ａが残っている。そのため、最後に圧空成形品２４には不要なシート２１の余り部分２４ａを切断して除去するばり取り作業が行なわれる。これにより、図５（Ｆ）に示すように外装パネル１０の圧空成形品２４が成形される。
【００１５】
また、本実施の形態のユニット本体５ではフレーム６の周囲全体を外装パネル１０で囲んだ状態に組み付けた際に、隣接する外装パネル１０同士は図６（Ａ）に示すように組み合わされる。このとき、隣接する外装パネル１０同士の合わせ部２５間には図６（Ｂ）に示すようにアンダーカット部１７間を組み合わせた状態で係合させた係合部２６が形成されている。そして、この係合部２６によって隣接する外装パネル１０間の合わせ目部分の隙間Ｓを隠す構成になっている。さらに、この係合部２６は、フレーム６に対して前後左右の各外装パネル１０を垂直に取外す方向には隣接する外装パネル１０同士が相互に干渉する部分がない。そのため、図６（Ｃ）に示すようにフレーム６に対して各外装パネル１０をそれぞれ個別に単独で着脱することができる構成になっている。なお、図６（Ｃ）はフレーム６に対して例えば側面パネル１２が装着され、正面パネル１１が取外された状態を示している。
【００１６】
また、図１１（Ａ）に示すようにユニット本体５内には、例えば５段の棚板７が配設されている。そして、上の２段の棚板７の配置部分には、内視鏡検査では必ず使用される必須の使用機器である光源装置２７と、カメラコントロールユニット（ＣＣＵ）２８とが収納される専用の第１の機器収納室２９が形成されている。この第１の機器収納室２９の周囲には上部正面パネル１１ａと、上部側面パネル１２ａ，１３ａと、背面パネル１４ａとがそれぞれ設けられている。
【００１７】
第１の機器収納室２９の前面の上部正面パネル１１ａには光源装置２７のコネクタ受部３０と、カメラコントロールユニット２８のコネクタ受部３１とが設けられている。そして、図２（Ａ），（Ｂ）に示すように後述する内視鏡３２のライトガイドケーブル３３の先端のコネクタ部３４が光源装置２７のコネクタ受部３０に着脱可能に連結されるようになっている。さらに、内視鏡３２の電気コネクタ部３５がカメラコントロールユニット２８のコネクタ受部３１に着脱可能に連結されるようになっている。
【００１８】
さらに、ユニット本体５の下側の棚板７には、必要に応じて電気メスなどの治療器具、あるいはビデオプリンター、写真撮像装置などの各種の周辺機器３６が任意に搭載可能な第２の機器収納室３７が形成されている。この第２の機器収納室３７の周囲には複数、本実施の形態では４枚の下部正面パネル１１ｂ〜１１ｅと、それぞれ１枚の下部側面パネル１２ｂ，１３ｂと、１枚の背面パネル１４ｂとがそれぞれ設けられている。
【００１９】
第１の機器収納室２９の前面の上部正面パネル１１ａには光源装置２７のコネクタ受部３０と、カメラコントロールユニット２８のコネクタ受部３１とが設けられている。そして、図２（Ａ），（Ｂ）に示すように後述する内視鏡３２のライトガイドケーブル３３の先端のコネクタ部３４が光源装置２７のコネクタ受部３０に着脱可能に連結されるようになっている。さらに、内視鏡３２の電気コネクタ部３５がカメラコントロールユニット２８のコネクタ受部３１に着脱可能に連結されるようになっている。
【００２０】
さらに、ユニット本体５の下側の棚板７には、必要に応じて電気メスなどの治療器具、あるいはビデオプリンター、写真撮像装置などの各種の周辺機器３６が任意に搭載可能な第２の機器収納室３７が形成されている。この第２の機器収納室３７の周囲には複数、本実施の形態では４枚の下部正面パネル１１ｂ〜１１ｅと、それぞれ１枚の下部側面パネル１２ｂ，１３ｂと、１枚の背面パネル１４ｂとがそれぞれ設けられている。
【００２１】
また、本実施の形態のユニット本体５では、図８に示すようにフレーム６と外装パネル１０との接合部に外装パネル１０をフレーム６に磁力によって着脱可能に固定するマグネット式のパネル固定部３８が設けられている。このパネル固定部３８には、フレーム６に取付けられた固定用マグネット３９と、外装パネル１０側に取付けられた磁性体からなるマグネット受部４０とが設けられている。このマグネット受部４０は固定用マグネット３９と対応する部位に配置された取り付けブラケットを利用して形成されている。図９に示すようにマグネット受部４０には、固定用マグネット３９と凹凸嵌合する位置決め用の嵌合凹部４１が設けられている。
【００２２】
そして、フレーム６に外装パネル１０を固定する場合には図１０（Ａ），（Ｂ）に示すようにマグネット受部４０と固定用マグネット３９との間の凹凸嵌合部分を外装パネル１０とフレーム６との間の上下方向の位置決め用に利用している。なお、左右方向にも同様の構成のマグネット式のパネル固定部３８を設けることにより、マグネット受部４０と固定用マグネット３９との間の凹凸嵌合部分を外装パネル１０とフレーム６との間の左右方向の位置決め用に利用することができる。
【００２３】
また、本実施の形態では第２の機器収納室３７内の機器搭載フレーム６に装備される棚板７のうち少なくとも一つは使用・不使用を選択できるように設定されている。すなわち、図１３に示すように各フレーム６には棚板支持用レール４２を着脱可能に支持するための上下一対のレール取付け穴４３，４４が設けられている。
【００２４】
棚板支持用レール４２には断面形状が略Ｌ字状のレール本体４５が設けられている。このレール本体４５の両端部には図１４（Ｂ）に示すように上下２段の係合爪４６，４７が形成されている。ここで、上側の係合爪４６には、後方に向けて略水平方向に屈曲された屈曲部４６ａの先端部に上向きに屈曲された上向屈曲部４６ｂが形成されている。さらに、下側の係合爪４７には、後方に向けて略水平方向に屈曲された屈曲部４７ａが形成されている。そして、図１５に示すように棚板支持用レール４２の上段の係合爪４６が上側のレール取付け穴４３、下段の係合爪４７が下側のレール取付け穴４４に挿入されることにより、棚板支持用レール４２がフレーム６に対して取外し可能に装着されている。
【００２５】
また、この棚板支持用レール４２は第２の機器収納室３７内に左右２組設けられている。そして、両側の棚板支持用レール４２上に１つの棚板７が支持されている。これにより、１つの棚板７が使用・不使用を選択できるように設定されている。
【００２６】
例えば、図１１（Ａ）は第２の機器収納室３７内の３つの棚板７が全て装着されている状態を示す。これに対し、図１２（Ａ）は中央の棚板７が取外された状態を示す。そして、図１２（Ａ）に示すように中央の棚板７を取外すことにより、図１１（Ａ）の棚板７上に搭載される周辺機器３６よりも高さが高い周辺機器３６を第２の機器収納室３７内に収納することができる構成になっている。
【００２７】
また、外装パネル１０と棚板７の取り付け位置は、もともと同じ高さではなく、適当な位置関係に配置されている。そして、本実施の形態では第２の機器収納室３７の正面に配置される４枚の下部正面パネル１１ｂ〜１１ｅは、最下段の下部正面パネル１１ｅの高さがＬ２、これ以外の３枚の下部正面パネル１１ｂ〜１１ｄの高さがＬ１にそれぞれ設定されている。さらに、３枚の下部正面パネル１１ｂ〜１１ｄの外形寸法は同じ寸法に設定されている。なお、第２の機器収納室３７の正面に配置される外装パネル１０の少なくとも２枚は同じ外形寸法に設定されることが好ましい。そして、棚板７と外装パネル１０との相対関係が全ての段において同一ではない。なお、図１２（Ａ）に示すように高さが高い周辺機器３６を第２の機器収納室３７内に収納した場合には図１２（Ｂ）に示すように１枚の下部正面パネル１１ｃにアクセス穴が形成されていないダミーパネルが装着される。
【００２８】
また、本実施の形態では第２の機器収納室３７内に収納した棚板７の取り付け位置を上下方向に調整する支持位置調整手段４８が設けられている。この支持位置調整手段４８は図２１に示すように棚板７の上に略箱型のスペーサー４９を介して特定のサイズの搭載機器３６を乗せたものである。これにより、図２０の棚板７の上から図２１の棚板７の上に特定のサイズの搭載機器３６を乗せ換える場合のように棚板７の上に特定のサイズの搭載機器３６を直接乗せた場合には外装パネル１０のアクセス穴５０の開口部と搭載機器３６の開口部の合わせ目が合わない場合でもスペーサー４９を介して特定のサイズの搭載機器３６を乗せることにより、外装パネル１０のアクセス穴５０の開口部と搭載機器３６の開口部を合わせることができる。その結果、共通の外装パネル１０を使用できるようにしている。なお、スペーサー４９の内部には物品収納部としても利用可能である。
【００２９】
さらに、本実施の形態では図１６に示すように第２の機器収納室３７内に収納した中段位置の棚板７上の搭載機器３６の外装パネル１０をフレーム６から分離させて取外すことなく開閉するパネル開閉機構５１が設けられている。このパネル開閉機構５１には、図１７に示すようにフレーム６に対して外装パネル１０を正規の装着位置（図１８に示す）と、前方に引き出した引き出し位置との間でスライド可能に支持するスライド機構５２と、引き出し位置（図１９に示す）で、外装パネル１０を下端部の回動支点５３を中心に手前側に回転させて前倒しするヒンジ機構５４とが設けられている。図１８に示すようにスライド機構５２には棚板７上に固定される静止部材である左右一対のガイドレール５５と、移動部材５６とが設けられている。そして、移動部材５６が左右のガイドレール５５にガイドされる状態で図１７中で左右方向に移動可能に支持されている。
【００３０】
また、移動部材５６には水平方向に配置されたベースプレート５６ａと、このベースプレート５６ａの前端部に下向きに略Ｌ字状に屈曲された屈曲板５６ｂとが設けられている。屈曲板５６ｂの下端部にヒンジ機構５４を介して外装パネル１０の下端部が連結されている。
【００３１】
なお、本実施の形態では、図７（Ａ）に示すように第２の機器収納室３７の各下部正面パネル１１ｂ〜１１ｄの水平方向の合わせ目ラインが、水平方向に配置される形状の外装パネル１０を設けた構成を示したが、図７（Ｂ）に示すように下部正面パネル１１ｂ〜１１ｄの水平方向の合わせ目ラインが、側面から見るとフレーム６から前方へ向かって下方に傾斜する傾斜面５７を設けてもよい。この場合には、手術中、手術室内に飛び散る飛沫類が下部正面パネル１１ｂ〜１１ｄに付着しても傾斜面５７に沿って外側下向きに滴下するので、飛沫類が作業台ユニット３内に浸入する事を効果的に防ぐことができる。
【００３２】
また、本実施の形態ではユニット本体５のフレーム６には図２３に示すように断面形状がＵ字状のフレーム構成部材５８が設けられている。このフレーム構成部材５８の開口部には断面形状がＵ字状のカバー部材５９が嵌着されて一体的に接合されている。そして、フレーム構成部材５８とカバー部材５９との間の矩形状の空間内に電気配線用のケーブル６０を収納するケーブル収納部６１が形成されている。
【００３３】
また、ユニット本体５の第２の機器収納室３７の背面の背面パネル１４の内部には基板ケース６２が形成されている。この基板ケース６２の内部にはユニット本体５の内部に搭載される光源装置２７と、カメラコントロールユニット２８と、その他の各周辺機器３６に接続される図示しない配線基板が配設されている。この基板ケース６２の内面は蓋６３によって開閉可能に閉塞されている。この配線基板には予め作業台ユニット３の内部に搭載される予定の複数の内蔵機器や、作業台ユニット３の外部に配置される任意の外部機器との接続用のコネクタが設けられている。
【００３４】
さらに、この基板ケース６２は一側部がヒンジ機構６３を介してフレーム６に回動可能に軸支されている。そして、この基板ケース６２は図２３に示す閉位置から、図２４に示す開位置まで開閉可能に支持されている。
【００３５】
また、図２５（Ａ），（Ｂ）に示すようにフレーム６には、蝶番であるヒンジ機構６３によって形成されるデッドスペースに基板ケース６２の閉塞時に基板ケース６２内の電気配線に接続してアース（ＧＮＤ）させるばね状のアース部材６４（例えばＥＭＣフィンガー）が配設されている。このアース部材６４は図２５（Ｃ）に示すように略円弧形状の断面形状の板ばね状の導電部材によって形成されている。そして、このアース部材６４はヒンジ機構６３の近傍に配置されている。
【００３６】
さらに、基板ケース６２にはアース部材６４と接触する接触部材６５が設けられている。この接触部材６５は、基板ケース６２が図２４に示すように開いている場合にはアース部材６４から離れ、基板ケース６２が図２５に示すように閉じた際にアース部材６４に圧接されて接触するようになっている。
【００３７】
また、図１に示すように作業台ユニット３の上面の作業台９の後端部には、集中制御パネル６６が配設されている。この集中制御パネル６６は、基板ケース６２内の配線基板を介して予め作業台ユニット３の内部に搭載される予定の複数の内蔵機器や、作業台ユニット３の外部に配置される任意の外部機器と接続されている。この集中制御パネル６６は、タッチパネルによって形成されている。そして、作業台ユニット３の内部に搭載されている複数の内蔵機器や、作業台ユニット３の外部に配置される外部機器は、全てこの集中制御パネル６６の操作によって制御可能になっている。
【００３８】
また、集中制御パネル６６の後方には、モニター装着部６７（図２７参照）が設けられている。このモニター装着部６７には液晶表示モニターによって形成される内視鏡画像等の情報表示用のモニター６８が着脱可能に装着されている。図２６に示すようにモニター６８の下部にはアダプタ６９が設けられている。
【００３９】
さらに、作業台ユニット３のモニター装着部６７は、作業台ユニット３とは異なる場所に配置されたモニタースタンド４の上端部に配置されているモニター装着部７０と同一構造の共通ユニットになっている。そのため、作業台ユニット３のモニター装着部６７は、モニタースタンド４のモニター装着部７０に着脱可能に装着されるモニター６８が共通に装着可能なように構成されている。
【００４０】
さらに、図１に示すように作業台ユニット３の背面側には略Ｌ字状の内視鏡支持アーム７１が装着されている。この内視鏡支持アーム７１の上部には複数の医療器具支持部材７２が装着されている。
【００４１】
図２（Ａ）に示すようにこの医療器具支持部材７２には内視鏡３２が支持されるようになっている。内視鏡３２には細長い挿入部３２ａと、この挿入部３２ａの基端部に連結された手元側の操作部３２ｂとが設けられている。さらに、操作部３２ｂにはライトガイドケーブル３３の基端部が連結されている。このライトガイドケーブル３３の先端部にはコネクタ部３４が連結されている。このコネクタ部３４には電気コードの一端が連結されている。この電気コードの他端には電気コネクタ部３５が連結されている。そして、前述した通り、コネクタ部３４が上部正面パネル１１ａの光源装置２７のコネクタ受部３０に着脱可能に連結され、電気コネクタ部３５がカメラコントロールユニット２８のコネクタ受部３１に着脱可能に連結されている。
【００４２】
また、図２（Ａ）に示すように作業台ユニット３の下部側面パネル１２ｂには処置用の機器の出力部８１が配置されている。そして、図２（Ｂ）に示すように第２の機器収納室３７に処置用の機器、例えば電気メスなどの処置用器具８２が収納されている場合には、この処置用機器８２は、作業台ユニット３の下部側面パネル１２ｂの出力部８１に接続されている。
【００４３】
また、図２８は作業台ユニット３の第１の機器収納室２９内の冷却風の流路の流れを説明するための横断面図である。第１の機器収納室２９の背面には左右一対の冷却用のファン８３が配設されている。さらに、背面パネル１４ａには各冷却用のファン８３との対向面に排気口８４が形成されている。
【００４４】
また、上部正面パネル１１ａの左右の両端部には外面側に略三角形の断面形状の外装パネル８５がそれぞれ配設されている。これら隣接する上部正面パネル１１ａと外装パネル８５との外装パネル同士の合わせ部には図２９に示すように前後方向に重なり合い、かつ前後方向に所定の間隔を有するように吸気口としてのオーバーラップ部８６が設けられている。
【００４５】
さらに、オーバーラップ部８６の内側に配置される上部正面パネル１１ａのパネル面には外気を作業台ユニット３の内部に吸込む吸気口８７が配設されている。
【００４６】
次に、上記構成の作用について説明する。本実施の形態の作業台ユニット３では、冷却用のファン８３の駆動時には図２８中に矢印で示すように作業台ユニット３のフレーム６の周囲に配設された隣接する上部正面パネル１１ａと外装パネル８５との外装パネル同士の合わせ部の吸気口としてのオーバーラップ部８６から外気を作業台ユニット３の内部に吸い込む。続いてオーバーラップ部８６の内側に配置される上部正面パネル１１ａの吸気口８７から外気を作業台ユニット３の内部に吸込む。これにより、冷却用のファン８３から外部に吐出される間の作業台ユニット３の内部の流路に沿う外気の流れによって内部機器が空冷される。
【００４７】
そこで、上記構成のものにあっては次の効果を奏する。すなわち、本実施の形態の作業台ユニット３では、冷却用のファン８３の駆動時に外気を吸い込む吸気口としてのオーバーラップ部８６は、作業台ユニット３のフレーム６の周囲に配設された隣接する上部正面パネル１１ａと外装パネル８５との外装パネル同士の合わせ部の吸気口が前後方向に重なり合い、かつ前後方向に所定の間隔を設けることにより形成されている。そのため、オーバーラップ部８６の吸気口が直接的に目視されることがないので、作業台ユニット３の外観の向上を図れる。
【００４８】
さらに、オーバーラップ部８６の内側に配置される上部正面パネル１１ａに吸気口８７を形成したので、この吸気口８７も直接的に目視されることはない。このように、本実施の形態では上部正面パネル１１ａと外装パネル８５との外装パネル同士の合わせ目を利用して吸気口を形成したので、特に圧空成型の場合は後加工が最少限で済むように出来る。そのため、後加工コストが減少し、収益性が向上した。
【００４９】
さらに、作業台ユニット３の外観にインテーク穴が見えないので、作業台ユニット３の美観を損ねずに済んだ。そのため、内視鏡室をイメージアップすることができる。
【００５０】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  内視鏡検査に使用する複数の周辺装置が作業台ユニットの内部に収納された医療用検査装置において、前記作業台ユニットの背面に冷却用のファンを配設し、前記作業台ユニットのフレームの周囲に配設された隣接する外装パネル同士の合わせ部に前後方向に重なり合い、かつ前後方向に所定の間隔を有するように吸気口としてのオーバーラップ部を設けたことを特徴とする医療用検査装置。
【００５１】
（付記項２）  前記オーバーラップ部の内側に配置されるパネル面に外気を前記作業台ユニットの内部に吸込む吸気口を配置したことを特徴とする付記項１に記載の医療用検査装置。
【００５２】
（付記項１、２の従来技術）  ユニット外装には内部機器の冷却のためになんらかの開口部を設ける必要がある。従来、内視鏡システムにおいては装置内部の冷却の為のインテーク穴として、内視鏡システム外観面に穴を開けていた。
【００５３】
（付記項１、２が解決しようとする課題）  内視鏡システム外観面に穴を開ける構成は外観上好ましいものではなかった。
【００５４】
（付記項１の課題を解決するための手段）  外装パネルの合わせ目（オーバーラップ部分）を利用して吸気口を形成した。
【００５５】
（付記項２の課題を解決するための手段）  内視鏡システムにおいて、少なくとも２枚の外装パネルの合わせ目に内部空間との通路を設け、冷却空気のインテークとした。
【００５６】
（付記項１、２の効果）  外観に開口が現れず、美観を損ねずに済んだ。
【００５７】
【発明の効果】
本発明によれば、装置本体のケースに吸引孔などが直接的に目視されることがなく、外観の向上を図ることができる。
【図面の簡単な説明】
【図１】本発明の第１の実施の形態を示す内視鏡検査装置全体の概略構成を示す斜視図。
【図２】第１の実施の形態の内視鏡検査装置における作業台ユニットを示すもので、（Ａ）は作業台ユニットのフレームの周囲全体に外装パネルを装着した状態を示す斜視図、（Ｂ）は作業台ユニットのサイドカバーを取外した状態を示す斜視図。
【図３】第１の実施の形態の内視鏡検査装置における作業台ユニットの外装パネルの装着状態を説明するための説明図。
【図４】第１の実施の形態の内視鏡検査装置における作業台ユニットの外装パネルを示す斜視図。
【図５】第１の実施の形態の内視鏡検査装置における作業台ユニットの外装パネルの製造方法を説明するための説明図。
【図６】第１の実施の形態の内視鏡検査装置における作業台ユニットの外装パネルの組み付け状態を示すもので、（Ａ）はフロントパネルとサイドパネルとの接合部を示す要部の斜視図、（Ｂ）は同平面図、（Ｃ）はフロントパネルを取り外した状態を示す要部の斜視図。
【図７】（Ａ）は第１の実施の形態の内視鏡検査装置における作業台ユニットの外装パネルの並設状態を示す側面図、（Ｂ）は外装パネルの変形例の並設状態を示す側面図。
【図８】第１の実施の形態の内視鏡検査装置における作業台ユニットの外装パネルの固定状態を示す横断面図。
【図９】図８のＩＸ−ＩＸ線断面図。
【図１０】（Ａ）は第１の実施の形態の内視鏡検査装置における作業台ユニットの外装パネルの固定用マグネットとマグネット受部との係合状態を示す正面図、（Ｂ）は（Ａ）のＸＢ−ＸＢ線断面図。
【図１１】（Ａ）は第１の実施の形態の内視鏡検査装置における作業台ユニット内に周辺装置を搭載した状態を示す側面図、（Ｂ）は同正面図。
【図１２】（Ａ）は第１の実施の形態の内視鏡検査装置における作業台ユニット内の周辺装置を入れ替えた状態を示す側面図、（Ｂ）は同正面図。
【図１３】第１の実施の形態の内視鏡検査装置における作業台ユニットの棚板支持用のレールの取付け状態を示す斜視図。
【図１４】（Ａ）は第１の実施の形態の内視鏡検査装置における作業台ユニットのフレームのレール取付け穴を示す斜視図、（Ｂ）はレールの係合爪を示す斜視図。
【図１５】第１の実施の形態の内視鏡検査装置における作業台ユニットのフレームのレール取付け穴にレールの係合爪を係合させた状態を示す要部の縦断面図。
【図１６】第１の実施の形態の内視鏡検査装置における作業台ユニットの内蔵機器の正面パネルの開操作状態を示す側面図。
【図１７】第１の実施の形態の内視鏡検査装置における作業台ユニットのフロントパネルの支持機構を示す斜視図。
【図１８】第１の実施の形態の内視鏡検査装置における作業台ユニットのフロントパネルが閉じた状態を示す要部の縦断面図。
【図１９】第１の実施の形態の内視鏡検査装置における作業台ユニットのフロントパネルが開いた状態を示す要部の縦断面図。
【図２０】第１の実施の形態の内視鏡検査装置における作業台ユニットの内蔵機器の設置状態を示す斜視図。
【図２１】第１の実施の形態の内視鏡検査装置における作業台ユニットの内蔵機器の設置位置を移動した状態を示す斜視図。
【図２２】第１の実施の形態の内視鏡検査装置における作業台ユニットのフレーム構造を示す斜視図。
【図２３】（Ａ）は第１の実施の形態の内視鏡検査装置における作業台ユニットの基板ケースの蓋を閉じた状態を示す要部の横断面図、（Ｂ）は基板ケースの蓋を開いた状態を示す要部の横断面図、（Ｃ）はアース部材の取付け状態を示す横断面図。
【図２４】第１の実施の形態の内視鏡検査装置における作業台ユニットの基板ケースの蓋を閉じた状態を示す横断面図。
【図２５】第１の実施の形態の内視鏡検査装置における作業台ユニットの基板ケースの蓋を開いた状態を示す横断面図。
【図２６】第１の実施の形態の内視鏡検査装置における作業台ユニットの情報表示用のモニターを示す正面図。
【図２７】（Ａ）第１の実施の形態の内視鏡検査装置における作業台ユニットのモニター装着部に情報表示用のモニターを取付けた状態を示す斜視図、（Ｂ）はモニタースタンドのモニター装着部を示す斜視図。
【図２８】第１の実施の形態の内視鏡検査装置における作業台ユニット内の冷却風の流路の流れを説明するための横断面図。
【図２９】第１の実施の形態の内視鏡検査装置における作業台ユニット内の冷却風の吸気口部分の構成を説明するための要部の横断面図。
【符号の説明】
３…作業台ユニット、６…フレーム、１０…外装パネル、１１ａ…上部正面パネル、１５…パネル本体、１６…フレーム対向面、１７…アンダーカット部、２６…係合部、２９…第１の機器収納室、８３…冷却用のファン、８４…排気口、８５…外装パネル、８６…オーバーラップ部、８７…吸気口。
【図１】
2004337442.tif 000003
【図２】
2004337442.tif 000004
【図３】
2004337442.tif 000005
【図４】
2004337442.tif 000006
【図５】
2004337442.tif 000007
【図６】
2004337442.tif 000008
【図７】
2004337442.tif 000009
【図８】
2004337442.tif 000010
【図９】
2004337442.tif 000011
【図１０】
2004337442.tif 000012
【図１１】
2004337442.tif 000013
【図１２】
2004337442.tif 000014
【図１３】
2004337442.tif 000015
【図１４】
2004337442.tif 000016
【図１５】
2004337442.tif 000017
【図１６】
2004337442.tif 000018
【図１７】
2004337442.tif 000019
【図１８】
2004337442.tif 000020
【図１９】
2004337442.tif 000021
【図２０】
2004337442.tif 000022
【図２１】
2004337442.tif 000023
【図２２】
2004337442.tif 000024
【図２３】
2004337442.tif 000025
【図２４】
2004337442.tif 000026
【図２５】
2004337442.tif 000027
【図２６】
2004337442.tif 000028
【図２７】
2004337442.tif 000029
【図２８】
2004337442.tif 000030
【図２９】
2004337442.tif 000031